(57)【要約】【課題】撮像エリアが異なったカメラに装着しても、ケラレ等の生ずることのないレンズフード、及び、レンズフードの遮光部調整部材を提供する。【解決手段】デジタル一眼レフカメラ１、フィルム用一眼レフカメラ１１に装着可能な交換レンズ２にレンズフード３を取り付け、デジタル一眼レフカメラ１で撮影するときに、小径リング５を取り付け、また、フィルム用一眼レフカメラ１１で撮影するときに、フード本体４から小径リング５を取り外し、それぞれカメラの撮像エリアに応じて、画角外からレンズに入射する光線を遮光した。【選択図】図１
2006145955.tif 000002
【特許請求の範囲】
【請求項１】
第１の撮像エリアを有するカメラ、及び、前記第１の撮像エリアよりも狭い第２の撮像エリアを有するカメラに装着可能な交換レンズの被写体側先端に設けられるレンズフードであって、
前記交換レンズに入射する光線を、前記第１の撮像エリアに対応して遮光する第１の遮光部を有するフード本体と、
前記フード本体の被写体側先端に着脱可能に設けられ、前記交換レンズに入射する光線を、前記第２の撮像エリアに対応して遮光する第２の遮光部を有する遮光部調整部材と、
を備えたレンズフード。
【請求項２】
第１の撮像エリアを有するカメラ、及び、前記第１の撮像エリアよりも狭い第２の撮像エリアを有するカメラに装着可能な交換レンズの光軸方向先端に設けられ、前記交換レンズに入射する光線を、前記第１の撮像エリアに対応して遮光する第１の遮光部を有するレンズフードの遮光部調整部材であって、
前記レンズフードの光軸方向先端に着脱可能に設けられた環状本体と、
前記環状本体の内側に形成され、前記交換レンズに入射する光線を、前記第２の撮像エリアに対応して遮光する第２の遮光部と、
を有するレンズフードの遮光部調整部材。
【発明の詳細な説明】
【技術分野】
【０００１】
本発明は、撮像エリアが異なる複数のカメラに装着可能な交換レンズに取り付けるレンズフード、及び、レンズフードに取り付ける遮光部調整部材に関するものである。
【背景技術】
【０００２】
従来、一眼レフカメラは、フィルムを装填して撮影するものが一般的であったが、最近では、ＣＣＤ（電荷結合素子）等の電子撮像素子に結像させるデジタル一眼レフカメラが普及しつつある。
フィルム用一眼レフカメラで一般的に使用されるフィルムは、１３５フォーマットと呼ばれ、撮像エリアが縦２４ｍｍ、横３６ｍｍである。それに対してデジタル一眼レフカメラに使用されるＣＣＤ等の電子撮像素子の撮像エリアは、半導体製造装置や製造コストのバランスから１３５フォーマットの縦２４ｍｍ、横３６ｍｍよりも小さいものが一般的である。
一眼レフカメラは、レンズを交換できることが特徴であるが、レンズを装着するためのマウントをフィルム用一眼レフカメラとデジタル一眼レフカメラで共通化することにより、交換レンズをフィルム用一眼レフカメラにもデジタル一眼レフカメラにも、互換性をもって装着することができる。
【０００３】
このような交換レンズに装着するレンズフードについて考えてみる。レンズフードは、画角外から光線を遮光して、レンズに入射することを防止する撮影用機材である。レンズフードを交換レンズの被写体側先端に装着することにより、レンズ鏡筒内のフレア、迷光等を減らすことができる。
前述したように、１３５フォーマットの撮像エリアよりも電子撮像素子の撮像エリアの方が小さいので、フィルム用一眼レフカメラの撮像エリアに合わせたレンズフードを、デジタル一眼レフカメラに装着して撮影した場合は、画角外の光線の遮光効果が十分ではない場合がある。逆に、デジタル一眼レフカメラのレンズフードを、フィルム用一眼レフカメラに装着して撮影した場合は、撮像図画の四隅が映らない、いわゆるケラレが生じる場合がある。
このため、１つの交換レンズを撮影状況に応じて、フィルム用一眼レフカメラ、デジタル一眼レフカメラに付け替えて撮影する場合、フィルム撮影用のレンズフードとデジタル撮影用のレンズフードを用意する必要があった。また、レンズ交換と同時にレンズフードを付け替える必要があり、作業が煩雑になるという問題があった。さらに、撮影機材として嵩張り、撮影時の移動には好ましくなかった。
【０００４】
一方、主フードにエクステンションフードを設け、ズームレンズ等の焦点距離の変化に応じて、フードの全長を変化させることにより、撮影に支障をきたす光のレンズへの入射を制限するレンズフードが知られている（例えば、特許文献１）。しかし、このレンズフードは、撮影光学系の焦点距離に応じて、レンズへ入射する光を遮光することが目的であるため、カメラの撮像エリアに応じて、レンズへ入射する光を遮光することはできない。
【特許文献１】実開平６−４７９３４号公報
【発明の開示】
【発明が解決しようとする課題】
【０００５】
本発明の課題は、撮像エリアが異なったカメラに装着しても、ケラレ等の生ずることのないレンズフード、及び、レンズフードの遮光部調整部材を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、第１の撮像エリア（１１ｅ）を有するカメラ（１１）、及び、前記第１の撮像エリア（１１ｅ）よりも狭い第２の撮像エリア（１ｅ）を有するカメラ（１）に装着可能な交換レンズ（２）の被写体側先端に設けられるレンズフード（３）であって、前記交換レンズ（２）に入射する光線を、前記第１の撮像エリア（１１ｅ）に対応して遮光する第１の遮光部（４ｂ，４ｃ）を有するフード本体（４）と、前記フード本体（４）の被写体側先端に着脱可能に設けられ、前記交換レンズ（２）に入射する光線を、前記第２の撮像エリア（１ｅ）に対応して遮光する第２の遮光部（５ｂ）を有する遮光部調整部材（５）と、を備えたレンズフードである。
【０００７】
請求項２の発明は、第１の撮像エリア（１１ｅ）を有するカメラ（１１）、及び、前記第１の撮像エリア（１１ｅ）よりも狭い第２の撮像エリア（１ｅ）を有するカメラ（１）に装着可能な交換レンズ（２）の被写体側先端に設けられ、前記交換レンズ（２）に入射する光線を、前記第１の撮像エリア（１１ｅ）に対応して遮光する第１の遮光部（４ｂ，４ｃ）を有するレンズフード（３）の遮光部調整部材（５）であって、前記レンズフード（３）の被写体側先端に着脱可能に設けられた環状本体（５ａ）と、前記環状本体（５ａ）の内側に形成され、前記交換レンズ（２）に入射する光線を、前記第２の撮像エリア（１ｅ）に対応して遮光する第２の遮光部（５ｂ）と、を有するレンズフード（３）の遮光部調整部材である。
【発明の効果】
【０００８】
本発明のレンズフードは、第１の撮像エリアを有するカメラ、及び、第１の撮像エリアよりも狭い第２の撮像エリアを有するカメラに装着可能な交換レンズの被写体側先端に設けられる。そして、フード本体が交換レンズに入射する光線のうち、第１の撮像エリアに対応した第１の遮光部を有し、遮光部調整部材がフード本体の被写体側先端に着脱可能に設けられ、第２の撮像エリアに対応した第２の遮光部を有している。このため、第１の撮像エリアを有するカメラ、第２の撮像エリアを有するカメラに交換レンズを装着して、それぞれの撮像エリアに対応して遮光することができる。つまり、本発明のレンズフードは、異なる撮像エリアを有する２つのカメラに対応して、画角外からレンズに入射する光線を遮光して、カメラの撮影画質を向上することができる。また、撮影時に交換レンズを、異なる撮像エリアを有するカメラに付け替えるときに、レンズ交換が煩雑になることがない。さらに、撮影機材を嵩張らせることなく、コンパクトにまとめることができる。
【発明を実施するための最良の形態】
【０００９】
本発明は、撮像エリアが異なったカメラに装着しても、ケラレ等の生ずることのないレンズフード、及び、レンズフードの遮光部調整部材を提供するという目的を、デジタル一眼レフカメラ、フィルム用一眼レフカメラに装着可能な交換レンズにレンズフードを取り付け、デジタル一眼レフカメラで撮影するときに、小径リングを取り付け、また、フィルム用一眼レフカメラで撮影するときに、フード本体から小径リングを取り外し、それぞれの撮像エリアに応じて、画角外からレンズに入射する光線を遮光することにより実現した。
【実施例】
【００１０】
以下、図面等を参照して、本発明の実施例をあげて、さらに詳しく説明する。
図１は、本発明を適用した実施例のレンズフード３を、デジタル一眼レフカメラ１に装着した交換レンズ２に取り付けた状態の横断面を図示している。
デジタル一眼レフカメラ１は、カメラ筐体１ａと、カメラ側マウント１ｂと、撮像素子１ｃとを備えている。
カメラ側マウント１ｂは、後述する交換レンズ２を装着するために、カメラ筐体１ａの光軸方向前側の面に設けられた、円環状のマウントである。
撮像素子１ｃは、撮影光学系を形成するレンズ群によって結像された被写体像を電気信号に変換するものであり、例えばＣＣＤ、ＣＭＯＳ等の光−電気変換素子が用いられている。撮像素子１ｃは、カメラ筐体１ａの内側であって、光軸方向後側の範囲に、配置されている。撮像素子１ｃは、光軸方向前側の面に撮像面１ｄを有し、その撮像エリアは、後述するフィルム用一眼レフカメラ１１の撮像エリアよりも小さい。
【００１１】
交換レンズ２は、内部に撮影光学系を形成するレンズ群を収納し、また、レンズ側マウント２ａと、アタッチメントリング２ｂとを有している。
レンズ側マウント２ａは、カメラ側マウント１ｂとバヨネット結合するために、交換レンズ２の光軸方向後端に設けられたマウントである。これにより、交換レンズ２は、デジタル一眼レフカメラ１に着脱可能に装着される。
アタッチメントリング２ｂは、例えば、フィルタやキャップ等のアクセサリを取り付けるために、交換レンズ２の光軸方向先端の部分から、光軸方向前側に突き出すように設けられた円筒状の部材であり、その内周の全周に雌ネジであるネジ部２ｃが設けられている。
【００１２】
レンズフード３は、フード本体４と、小径リング５（遮光部調整部材）とを備えている。
フード本体４は、小径部４ａと、テーパ部４ｂと、大径部４ｃとを有している。
小径部４ａは、円筒状の部分であり、その外周に雄ネジであるネジ部４ｄが設けられ、交換レンズのネジ部２ｃと螺合している。これにより、レンズフード３は、交換レンズ２の光軸方向先端（被写体側先端）に着脱可能に装着される。また、小径部４ａは、その光軸方向先端の縁部から径方向外側に円環状をした平面部が設けられている。円環の外径は、アタッチメントリング２ｂの外径の略同一とされる。フード本体４は、交換レンズ２に装着されるときに、この円環状の平面部が交換レンズ２のアタッチメントリング２ｂの光軸方向先端の端面に当接することにより、光軸方向後側への移動が規制される。
テーパ部４ｂは、小径部４ａの円環状をした平面部の外周縁部から、光軸方向前側に向け連設されている。テーパ部４ｂは、光軸方向前側に至るにつれて径が大きくなるテーパ状の部分である。
大径部４ｃは、テーパ部４ｂの光軸方向先端の縁部から、光軸方向前側に連設された円筒状の部分である。大径部４ｃは、その内周の光軸方向先端の範囲に、ネジ部４ｅが設けられている。ネジ部４ｅは、後述する小径リング５を取り付けるための雌ネジである。
【００１３】
小径リング５は、円筒部５ａ（環状本体）と、小径部５ｂ（第２の遮光部）とを有している。
円筒部５ａは、円筒状の部分であり、その外周に雄ネジであるネジ部５ｃが設けられている。このネジ部５ｃは、フード本体４のネジ部４ｅと螺合している。これにより、小径リング５は、フード本体４の光軸方向先端（被写体側先端）に着脱可能に装着される。円筒部５ａは、その光軸方向先端の縁部から径方向外側に向けてフランジ部が設けられている。フード本体４へ装着されるときに、このフランジ部がフード本体４の光軸方向先端に当接することにより、光軸Ｏに沿った方向に規制される。
小径部５ｂは、円筒部５ａの光軸方向先端の縁部から、径方向内側に設けられた円環状の平板部であり、円環の径方向内側の縁部形状は、光軸Ｏを中心とした円形である。小径部５ｂは、画角外からの光線、すなわち図１に示す光線７ａの外側から交換レンズ２に入射する光線を遮光している。これにより、カメラユニットは、レンズ鏡筒内の迷光やフレアを防止し、良好な画像を得ることができる。
【００１４】
次に、レンズフード３を、いわゆる１３５フォーマットを有するフィルム用一眼レフカメラ１１に装着した交換レンズ２に、取り付けた状態を説明する。
図２は、本発明を適用した実施例のレンズフード３を、フィルム用一眼レフカメラ１１に装着した交換レンズ２に、取り付けた状態の横断面を図示している。
フィルム用一眼レフカメラ１１は、カメラ筐体１１ａと、カメラ側マウント１ｂと、フィルム１１ｃとを有している。
カメラ側マウント１ｂは、カメラ筐体１１ａの光軸方向前側の面に設けられている。カメラ側マウント１ｂは、デジタル一眼レフカメラ１と共通のマウントを用いているので、交換レンズ２を、デジタル一眼レフカメラ１と共通で使用することができる。
フィルム１１ｃは、３５ｍｍ用フィルムであり、その光軸方向前側の面に撮像面１１ｄを有している。撮像面１１ｄの横幅（カメラ左右方向に沿った方向の幅）は、長さＤ１１とされ、撮像素子１ｃの長さＤ１（図１参照）よりも大きい。
【００１５】
レンズフード３は、フィルム用一眼レフカメラ１１で撮影するときには、小径リング５を取り外し、フード本体４のみを使用する。レンズフード３は、フード本体４から小径リング５を取り外すことでテーパ部４ｂと大径部４ｃとが遮光部（第１の遮光部）を形成し、フィルム用一眼レフカメラ１１の画角外からの光線、すなわち図２に示す光線７ｂの外側から交換レンズ２に入射する光線を遮光している。これにより、光線７ａよりも外側であって、光線７ｂよりも内側の必要な光線を確保している。
【００１６】
図３は、デジタル一眼レフカメラ１の撮像エリア１ｅ（第２の撮像エリア）と、フィルム用一眼レフカメラ１１の撮像エリア１１ｅ（第１の撮像エリア）の大きさを比較するために、撮像素子１ｃ、フィルム１１ｃを正面から模式的に示す図である。撮像エリア１ｅは、デジタル一眼レフカメラ１の撮像エリアを示し、また、結像領域１ｆは、撮像エリア１ｅに必要な結像領域を示している。同様に、撮像エリア１１ｅは、フィルム用一眼レフカメラ１の撮像エリアを示し、また、結像領域１１ｆは、撮像エリア１１ｅに必要な結像領域を示している。
図３に示すように、撮像エリア１１ｅよりも撮像エリア１ｅの方が狭い。そして、図１のレンズフード３は、フード本体４と小径リング５とが、撮像エリア１ｅに必要な結像領域１ｆに対応して画角外から交換レンズ２に入射する光線を遮光している。また、図２のレンズフード３は、フード本体４が、撮像エリア１１ｅに必要な結像領域１１ｆに対応して画角外から交換レンズ２に入射する光線を遮光する。
【００１７】
以上説明したように、本実施例のレンズフード３は、交換レンズ２に取り付けられる。この交換レンズ２は、撮像エリア１ｅ（第２の撮像エリア）を有するデジタル一眼レフカメラ１、及び、撮像エリア１１ｅ（第１の撮像エリア）を有するフィルム用一眼レフカメラ１１にも装着可能である。そして、デジタル一眼レフカメラ１で撮影するときには、小径部５ｂ（第２の遮光部）を有する小径リング５（遮光部調整部材）をフード本体４に着脱可能に装着し、撮像エリア１ｅに対応して、画角外からレンズに入射する光線を遮光している。一方、フィルム用一眼レフカメラ１１で撮影するときには、小径リング５を取り外し、フード本体４のテーパ部４ｂと大径部４ｃとが遮光部（第１の遮光部）を形成して、撮像エリア１１ｅに対応して、画角外からレンズに入射する光線を遮光している。これにより、交換レンズ２のフレア、迷光を防止し、カメラの画質を向上することができる。また、１つのレンズフード３で、異なる撮像エリアを有する２つのカメラに対応できるので、撮影時におけるレンズ交換の際の、レンズフード３の取り扱いを容易にしている。さらに、従来のように２種類のフードを用意する必要がなく、撮影するための荷物をコンパクトにまとめることができる。
【００１８】
（変形例）
以上説明した実施例に限定されることなく、種々の変形や変更が可能であって、それらも本発明の均等の範囲内である。
（１）本実施例において、レンズフード３は、交換レンズ２にネジ結合によって、着脱可能に装着された例を示したが、これに限定されず、着脱可能な構造であればよい。例えば、レンズフード３のフード本体４を、交換レンズ２にバヨネット結合によって、着脱可能に装着しても良い。小径リング５のフード本体４への取り付け構造においても、同様である。
【００１９】
（２）本実施例において、小径リング５の小径部５ｂの開口形状は、円形である例を示したが、これに限定されない。例えば、小径リング５を交換レンズ２に対して、光軸回りの角度を確定できる取り付け構造（例えば、バヨネット結合等）を採用した場合、小径部５ｂの開口形状は、撮影画角に対応した矩形状でもよい。
【００２０】
（３）本実施例において、小径リング５の小径部５ｂは、円筒部５ａの光軸方向先端の縁部から、径方向内側に設けられた円環状の平板部である例を示したが、これに限定されない。例えば、小径リング５に、フード本体４の光軸方向先端の縁部から光軸方向前側に延在する円筒部を設け、撮像エリアに対応して画角外からの光線を遮光してもよい。
【００２１】
（４）本実施例において、レンズフード３は、フード本体４と小径リング５とから構成される例を示したが、これに限定されない。例えば、フィルム用一眼レフカメラ専用の既存のレンズフードがある場合、着脱可能な小径リングのみを別途用意して、既存のレンズフードに取り付けることにより、デジタル一眼レフカメラの撮像エリアに対応させてもよい。
【００２２】
（５）本実施例において、デジタル一眼レフカメラ１の撮像エリア１ｅに対応させるために、フード本体４に小径リング５を取り付けた例を示したが、これに限定されず、ＡＰＳフィルムなど他の撮像エリアを有するカメラを使用するときは、その撮像エリアに対応した小径リングを取り付けてもよい。さらに、撮像エリアが異なる複数のカメラに、それぞれ対応した小径リングを複数用意することにより、複数の撮像エリアに対応した遮光を行うことができる。
【図面の簡単な説明】
【００２３】
【図１】本実施例によるレンズフード３を、デジタル一眼レフカメラ１に用いた状態を示す図である。
【図２】本実施例によるレンズフード３を、フィルム用一眼レフカメラ１１に用いた状態を示す図である。
【図３】本実施例によるレンズフード３に対応した撮像エリアを示す図である。
【符号の説明】
【００２４】
１    デジタル一眼レフカメラ
１ａ    カメラ筐体
１ｂ    カメラ側マウント
１ｃ    撮像素子
１ｄ    撮像面
１ｅ    撮像エリア
１ｆ    結像領域
２    交換レンズ
２ａ    レンズ側マウント
２ｂ    アタッチメントリング
２ｃ    ネジ部
３    レンズフード
４    フード本体
４ａ    小径部
４ｂ    テーパ部
４ｃ    大径部
４ｄ    ネジ部
４ｅ    ネジ部
５    小径リング
５ａ    円筒部
５ｂ    小径部
５ｃ    ネジ部
７ａ，７ｂ    光線
１１    フィルム用一眼レフカメラ
１１ａ    カメラ筐体
１１ｃ    フィルム
１１ｄ    撮像面
１１ｅ    撮像エリア
１１ｆ    結像領域
【図１】
2006145955.tif 000003
【図２】
2006145955.tif 000004
【図３】
2006145955.tif 000005